(57)【要約】【課題】  電気二重層コンデンサを用いて、センサの出力信号に混入するノイズを低減し、計測器の出力信号のＳ／Ｎ比の向上を図り得る電源供給回路装置を提供すること。【解決手段】  センサ１１及びプリアンプ１２に電源配線３０を介して接続された主電源部２０と、電源配線３０に接続された電気二重層コンデンサ２１と、主電源部２０と電気二重層コンデンサ２１との間の電源配線３０に挿入接続された第１スイッチＳＷ１と、電源配線３０における電気二重層コンデンサ２１の接続点Ｐと電気二重層コンデンサ２１との間に挿入接続された第２スイッチＳＷ２と、出力要求信号Ｓ０を受け付けている期間は、第１スイッチＳＷ１を開き、主電源部２０からの電源電圧の供給が停止される場合は第２スイッチＳＷ２を開くよう制御する制御部１０と、を備える電源供給回路装置。【選択図】図１
2006304396.tif 000002
【特許請求の範囲】
【請求項１】
物理量を電気信号に変換し出力するセンサ及び当該センサの付属回路に電源配線を介して接続された電源手段と、
前記電源配線に接続された電気二重層コンデンサと、
前記電源手段と前記電気二重層コンデンサとの間の電源配線に挿入接続された第１の開閉手段と、
前記センサから出力される信号が要求されている期間は、前記第１の開閉手段を開くよう制御する制御手段と、
を備えることを特徴とする電源供給回路装置。
【請求項２】
請求項１に記載の電源供給回路装置において、
前記電源配線における前記電気二重層コンデンサの接続点と前記電気二重層コンデンサとの間に挿入接続された第２の開閉手段を備え、
前記制御手段は、
前記電源手段からの電源電圧の供給が停止される場合、前記第２の開閉手段を開くよう制御すること、
を特徴とする電源供給回路装置。
【請求項３】
請求項１又は２に記載の電源供給回路装置において、
前記電源配線における前記電気二重層コンデンサの接続点と前記センサ及び付属回路との間の電源配線に挿入接続されたＤＣ／ＤＣコンバータを備えること、
を特徴とする電源供給回路装置。
【発明の詳細な説明】
【技術分野】
【０００１】
本発明は、センサに電源を供給する電源供給回路装置に関する。
【背景技術】
【０００２】
自然界の物理的変化を電気抵抗、電流、電圧の変化として変換して出力するセンサは、物理量を測定する測定器には不可欠のものである。近年の測定器は、センサから出力される信号にデジタル信号処理を行うことにより物理量を計測するものが主流であり、以前のような複雑なアナログ回路による信号処理が不要となったが、フロントエンド回路としてのプリアンプ及びＡ／Ｄ変換部が不可欠であり、フロントエンド回路のＳ／Ｎ比が計測器の信号精度及び性能を決定すると言っても過言ではない。
【０００３】
また、昨今の計測器のデジタル化に伴って、計測器にはセンサ及び付属回路であるアナログ回路とデジタル回路とが混在するため、デジタル回路からのノイズが電源配線を経由してアナログ回路に混入してしまうという問題や、高効率化や小型化のためにスイッチング方式の電源回路が設けられている場合、このスイッチング電源回路が生じるノイズがアナログ回路に大きな影響を与えている。
【０００４】
このようなデジタル回路やスイッチング電源回路からのノイズのうち特に問題になるのは、低周波数のノイズである。低周波数のノイズの除去には、ローパスフィルタ回路を設けることが効果的であるが、周波数が低いほど大きな回路時定数を確保するためにローパスフィルタ回路が大型化し、設置スペースの確保や製造コストの点で問題が生じる。
【０００５】
そこで、いったん放電してしまうと再びもとの状態に戻して使用することができないアルカリ電池、水銀電池、リチウム電池等の一次電池や、放電したあとも充電によって繰り返し使用できるニッケル水素電池やリチウムポリマー電池等の二次電池をセンサやフロントエンド回路等の付属回路の電源として設けることによりノイズの混入を低減する対策が行われてきた。
【０００６】
しかしながら、センサやセンサの付属回路を駆動させる電源として一次電池を採用した場合、頻繁に一次電池の交換が必要となるため、高コスト化、維持管理の増大化を招くものとなる。また、二次電池を採用した場合、充電時間に長時間要するという問題があると共に複雑な充放電管理回路が必要となり、機器の大型化、高コスト化を招くという問題があるため、ユーザにとって使い勝手のよいものではなかった。
【０００７】
ところで、昨今の技術開発により、モータの起動電源や太陽電池を使用した照明機器の蓄電源として、電気二重層コンデンサが注目されている。電気二重層コンデンサは、小型でファラド（Ｆ）単位の大容量の静電容量を得ることができ、特別な充放電管理回路が不要であり、短時間充電できるという優れた特徴を有している。
【０００８】
電気二重層コンデンサを電源装置として用いた例としては、直流電力が供給される電源切替部と、電源切替部によって充電される電気二重層コンデンサと、直流電力の供給が途絶えたことを検出する停電検出部を有し、電源切替部は、直流電力は供給されているときはその直流電力を機器に供給し、停電検出部が直流電力の供給が途絶えたことを検出すると電気二重層コンデンサに充電された電力を機器に供給する電源装置が開示されている（特許文献１参照）。
【特許文献１】特開２００２−３６９４０９号公報
【発明の開示】
【発明が解決しようとする課題】
【０００９】
しかしながら、特許文献１に示す電源装置は、主に商用電源や一次電池、二次電池から停電等により電源電圧が供給されない場合に補助的に電気二重層コンデンサから電源の供給を行うものであり、センサからの出力信号のノイズを低減させるものではない。
【００１０】
本発明の課題は、電気二重層コンデンサを用いて、センサの出力信号に混入するノイズを低減し、計測器の出力信号のＳ／Ｎ比の向上を図り得る電源供給回路装置を提供することである。
【課題を解決するための手段】
【００１１】
請求項１に記載の発明は、物理量を電気信号に変換し出力するセンサ及び当該センサの付属回路に電源配線を介して接続された電源手段と、前記電源配線に接続された電気二重層コンデンサと、前記電源手段と前記電気二重層コンデンサとの間の電源配線に挿入接続された第１の開閉手段と、前記センサから出力される信号が要求されている期間は、前記第１の開閉手段を開くよう制御する制御手段と、を備える電源供給回路装置であること、を特徴としている。
【００１２】
請求項２に記載の発明は、請求項１に記載の電源供給回路装置において、前記電源配線における前記電気二重層コンデンサの接続点と前記電気二重層コンデンサとの間に挿入接続された第２の開閉手段を備え、前記制御手段は、前記電源手段からの電源電圧の供給が停止される場合、前記第２の開閉手段を開くよう制御すること、を特徴としている。
【００１３】
請求項３に記載の発明は、請求項１又は２に記載の電源供給回路装置において、前記電源配線における前記電気二重層コンデンサの接続点と前記センサ及び付属回路との間の電源配線に挿入接続されたＤＣ／ＤＣコンバータを備えること、を特徴としている。
【発明の効果】
【００１４】
請求項１に記載の発明によれば、センサから出力される信号が要求されている期間は、電源手段からセンサ及び付属回路への電源電圧の供給を遮断して、電気二重層コンデンサからのみの電源電圧の供給によりセンサ及び付属回路が駆動されることになるため、センサ及び付属回路から出力される信号に対して、電源手段が発生するノイズの混入を低減させることができ、センサ及び付属回路から出力される信号のＳ／Ｎ比（Signal／Noise比）を向上させることができる。
【００１５】
請求項２に記載の発明によれば、請求項１と同様の効果を得られるのは勿論のこと、電源手段からの電圧電圧の供給が停止された場合、電気二重層コンデンサをアナログ信号生成手段及び電源手段から電気的に遮断されるため、電気二重層コンデンサに蓄積されている電荷を保持することができ、電源手段からの電圧供給が再度開始された場合における充電時間を短縮することができると共に効率的なエネルギー管理を行うことができる。
【００１６】
請求項３に記載の発明によれば、請求項１又は２と同様の効果を得られるのは勿論のこと、電気二重層コンデンサからセンサ及び付属回路に出力される電源電圧を、所定時間、一定電圧値に保つことができるため、安定した電源電圧値を供給させることができ、センサ及び付属回路から出力される信号のＳ／Ｎ比を向上させることができる。
【発明を実施するための最良の形態】
【００１７】
以下、図を参照して本発明の実施の形態を詳細に説明する。
まず、構成を説明する。
【００１８】
図１に、本発明の電源供給回路装置を計測器に適用した場合における概略構成図を示す。図１に示すように、計測器は、制御部１０、センサ１１、アナプリアンプ１２、Ａ／Ｄ変換部１３、デジタル信号処理部１４の制御系と、電気二重層コンデンサ２１、ＤＣ／ＤＣコンバータ２２、第１スイッチＳＷ１、第２スイッチＳＷ２、主電源部３０等の電源電圧供給系等から構成されており、制御部１０、電気二重層コンデンサ２１、ＤＣ／ＤＣコンバータ２２、第１スイッチＳＷ１、第２スイッチＳＷ２、主電源部３０によって本発明の電源供給回路装置が構成されている。
【００１９】
センサ１１は、自然界の物理的変化を電気信号（アナログ信号）に変換するセンサであり、計測の対象となる音・光・温度・湿度・圧力・流量・重量・速度・速度等に応じて様々な種類のセンサが挙げられる。
【００２０】
本発明の電源供給回路装置において特に効果が得られるセンサは、測定されて検出される電気信号そのものの変化量が計測の対象の情報を示すセンサであり、例えば、温度センサ、湿度センサ、赤外線センサ等が挙げられる。
【００２１】
温度センサは、接触式と非接触式に分類される。接触式の温度センサとしては、白金測温抵抗体・サーミスタ・熱電対等が挙げられ、非接触式の温度センサとしては、物体から放射される赤外線を測定し、赤外線の量から温度を測定するサーモパイル等が挙げられる。
【００２２】
湿度センサは、大気中の湿分の吸脱着による電気的性質の変化を測定することにより湿度の計測に用いられるものであり、乾湿球型・水晶振動型・電磁波吸収型・熱伝導応用型・インピーダンス／容量変化型等が挙げられる。インピーダンス／容量変化型の湿度センサとしては、高分子箔を誘導体とした静電容量方式の高分子系センサ、金属酸化物系センサ、電解質系センサが挙げられる。
【００２３】
赤外線センサは、赤外領域の光を受光し、受光した光を電気信号に変換することにより、赤外線強度・温度・距離・速度・形状等の計測に用いられるものであり、熱型センサと量子型センサに分類される。熱型センサとしては、熱起電力効果を用いたサーモパイル、焦電効果を用いたＰＺＴ系(ジルコン酸チタン酸鉛)・ＬｉＴａＯ3系(タンタル酸リチウム)などの焦電センサ、熱電対効果を用いたサーミスタ・ボロメータ等が挙げられる。量子型センサとしては、光起電力効果を用いたフォトダイオード・フォトトランジスタ、光導電効果を用いたＣｄＳセル・ＣｄＳｅセル、光電子放出効果を用いた光電管・光電子倍増管等が挙げられる。
【００２４】
プリアンプ１２は、センサ１１から出力されたアナログ信号を増幅し、Ａ／Ｄ変換部１３へ出力するセンサ１１の付属回路である。なお、センサ１１の付属回路としてプリアンプ１２に限らず、センサ１１から出力された信号がＡ／Ｄ変換される前までにアナログ信号処理される他のフロントエンド回路等であってもよい。
【００２５】
Ａ／Ｄ変換部１３は、プリアンプ１２から入力されたアナログ信号をデジタル信号に変換し、デジタル信号処理部１４へ出力する。
【００２６】
デジタル信号処理部１４は、Ａ／Ｄ変換部１３から入力されたデジタル信号に対して信号補正処理や信号増幅処理等の各種信号処理を施し外部へ出力する。
【００２７】
主電源部２０は、センサ１１及びプリアンプ１２に電源配線３０を介して接続された電源手段である。また、主電源部２０は、ユーザや外部機器の操作指示に基づいて電源電圧の供給／停止を行う電源スイッチ（不図示）を有している。
【００２８】
なお、主電源部２０は、センサ１１及びプリアンプ１２に電源電圧を供給するように接続される場合に限らず、計測器内部の各回路に電源電圧を供給するよう接続されていてもよい。本実施の形態の主電源部２０は、計測器の各部に電源電圧を供給するよう各部と接続されているものとして説明するが、図１においては、本発明の電源供給回路装置に拘わる部分の電源配線３０のみ図示するものとする。
【００２９】
電気二重層コンデンサ２１は、固体電極（例えば、活性炭）と電解液の境面に電荷が蓄積される電気二重層現象を利用した蓄電デバイスであり、主電源部２０とセンサ１１及びプリアンプ１２との間の電源配線３０に接続されており、主電源部２０から供給される電力によって充電される。
【００３０】
ＤＣ／ＤＣコンバータ２２は、電源配線３０における電気二重層コンデンサ２１の接続点Ｐとアナログ信号を生成するセンサ１１及びプリアンプ１２との間の電源配線３０に挿入接続されており、主電源部２０又は電気二重層コンデンサ２１から供給された電源電圧をセンサ１１及びプリアンプ１２において必要とされる電源電圧（例えば、＋１２Ｖ）に変換する回路である。
【００３１】
このように、ＤＣ／ＤＣコンバータが接続されることにより、電気二重層コンデンサから出力される電源電圧を、所定時間、一定電圧値に保つことができるため、電気二重層コンデンサからＤＣ／ＤＣコンバータより下流の各部に安定した電源電圧を供給させることができ、生成されるアナログ信号のＳ／Ｎ比を向上させることができる。
【００３２】
第１スイッチＳＷ１は、主電源部２０と電気二重層コンデンサ２１との間の電源配線３０に挿入接続されており、制御部１０から入力される第１切替信号Ｓ１に基づいて、開閉動作される第１の開閉手段である。
【００３３】
第１スイッチＳＷ１は、制御部１０から入力される第１切替信号Ｓ１に基づいて主電源部２０からの電源電圧の供給／遮断機能を有する開閉手段であり、例えば、駆動コイル（電磁石）等により制御されるメカニカルリレー、トライアックやＭＯＳＦＥＴ等によるソリッドステートリレーを挙げることができる。
【００３４】
第２スイッチＳＷ２は、電源配線３０における電気二重層コンデンサ２１の接続点Ｐと電気二重層コンデンサ２１との間に挿入接続されており、制御部１０から入力される第２切替信号Ｓ１に基づいて、開閉動作される第２の開閉手段である。
【００３５】
第２スイッチＳＷ２は、主電源部２０からの電源電圧の供給が停止した場合において、電気二重層コンデンサが確実に主電源部２０及びＤＣ／ＤＣコンバータ２２より下流の各部（センサ１１及びプリアンプ１２）から電気的に遮断されることが必要とされるため、駆動コイル（電磁石）等により制御されるメカニカルリレーを用いることが好ましい。
【００３６】
制御部１０は、ＣＰＵ、ＲＯＭ、ＲＡＭなどにより構成されており、ＣＰＵは、ＲＯＭ内に記憶されているシステムプログラム、各処理プログラム、データを読み出して、ＲＡＭ内に展開し、展開されたプログラムに従って、計測器各部の動作を制御し、測定信号を出力させる。
【００３７】
制御部１０は、本発明を実現させるために、主電源部２０の電源スイッチの操作信号と外部から入力されるセンサ１１から出力される信号の要求の有無を示す出力要求信号Ｓ０とに基づいて、第１スイッチＳＷ１及び第２スイッチＳＷ２の開閉動作を行う制御手段である。
【００３８】
本実施の形態においては、制御部１０から第１スイッチＳＷ１へ出力される信号を第１切替信号Ｓ１、制御部１０から第２スイッチＳＷ２へ出力される信号を第２切替信号Ｓ２とする。また、以下、第１スイッチＳＷ１及び第２スイッチＳＷ２が開状態であることをＯＦＦ状態、閉状態であることをＯＮ状態という。
【００３９】
制御部１０は、外部から入力されるアナログ信号の出力要求信号Ｓ０に基づいて、出力要求信号Ｓ０を受け付けている期間は、第１スイッチＳＷ１が開く（ＯＦＦさせる）ように第１切替信号Ｓ１を出力し、主電源部２０からＤＣ／ＤＣコンバータ２２より下流の各部（センサ１１及びプリアンプ１２）への電源電圧の供給を遮断させ、電気二重層コンデンサ２１から電源電圧が供給されるよう制御する。
【００４０】
また、制御部１０は、外部から主電源部２０からの電源電圧の供給が停止される旨の指示が入力された場合（例えば、主電源部２０の電源スイッチをＯＦＦする操作信号が入力された場合）、第１スイッチＳＷ１及び第２スイッチＳＷ２が開く（ＯＦＦさせる）ように旨の第１切替信号Ｓ１及び第２切替信号Ｓ２を出力し、電気二重層コンデンサ２１が主電源部２０及びＤＣ／ＤＣコンバータ２２より下流の各部（センサ１１及びプリアンプ１２）から電気的に遮断されるよう制御する。
【００４１】
このように、出力要求信号Ｓ０を受け付けている期間は、電気二重層コンデンサ２１からセンサ１１及びプリアンプ１２に電源電圧が供給されるため、センサ１１は、主電源部２０が発生するノイズの影響を受けずにＳ／Ｎ比が向上されたアナログ信号を出力することができ、プリアンプ１２は、主電源部２０が発生するノイズの影響を受けずにセンサ１１から入力されたＳ／Ｎ比が向上されたアナログ信号に対して信号処理を施すことができ信号処理済みのアナログ信号のＳ／Ｎ比が向上されるため、計測器から出力される計測信号のＳ／Ｎ比を向上させることができる。
【００４２】
次に、本実施の形態の動作を説明する。
図２に、本実施の形態における第１スイッチＳＷ１及び第２スイッチＳＷ２の制御フローを示す。本実施の形態における動作は、制御部１０において実行されるものとして説明する。
【００４３】
制御部１０は、主電源部２０の電源スイッチがＯＮ状態である旨を示す操作信号が入力されているか否かを判別する（ステップＳ１）。制御部１０は、電源スイッチがＯＮ状態である旨を示す信号が入力されていると判別した場合（ステップＳ１；Ｙｅｓ）、第１スイッチＳＷ１をＯＮさせる旨の第１切替信号Ｓ１を第１スイッチＳＷ１に出力する（ステップＳ２）。第１スイッチＳＷ１はＯＮ状態となり、主電源部２０からセンサ１１及びプリアンプ１２に電源電圧が供給される。
【００４４】
また、制御部１０は、第１スイッチＳＷ１をＯＮさせる旨の第１切替信号Ｓ１を第１スイッチＳＷ１に出力した後（ステップＳ２後）、第２スイッチＳＷ２をＯＮさせる旨の第２切替信号Ｓ２を第２スイッチＳＷ２に出力する（ステップＳ３）。第２スイッチＳＷ２はＯＮ状態となり、主電源部２０から供給される電源電圧によって電気二重層コンデンサ２１に電荷が充電される。
【００４５】
なお、第１スイッチＳＷ１がＯＮ状態となった後、第２スイッチＳＷ２をＯＮさせる場合を示したが、第１スイッチＳＷ１及び第２スイッチＳＷ２を同時にＯＮさせてもよい。
【００４６】
第１スイッチＳＷ１及び第２スイッチＳＷ２が共にＯＮ状態である場合（ステップＳ３後）、制御部１０は、出力要求信号Ｓ０が入力されたか否か（出力要求信号Ｓ０がＯＮ状態か否か）を判別する（ステップＳ４）。
【００４７】
制御部１０は、出力要求信号Ｓ０が入力されたと判別した場合（ステップＳ４；Ｙｅｓ）、第１スイッチＳＷ１をＯＦＦさせる旨の第１切替信号Ｓ１を第１スイッチＳＷ１に出力し（ステップＳ５）、出力要求信号Ｓ０の入力が解除されたか否か（出力要求信号Ｓ０がＯＦＦ状態か否か）を判別する（ステップＳ６）。
【００４８】
制御部１０は、出力要求信号Ｓ０の入力が解除されていないと判別した場合（ステップＳ６；Ｎｏ）、出力要求信号Ｓ０の入力が解除されるまで待機する（ステップＳ６の判別を繰り返す）。即ち、ステップＳ６がＮｏと判別され続ける期間は、ＤＣ／ＤＣコンバータ２２よりも下流のセンサ１１及びプリアンプ１２は、主電源部２０からの電源電圧の供給が遮断され、電気二重層コンデンサ２１から電源電圧が供給されることとなる。
【００４９】
制御部１０は、出力要求信号Ｓ０の入力が解除されたと判別した場合（ステップＳ６；Ｙｅｓ）、第１スイッチＳＷ１をＯＮさせる旨の第１切替信号Ｓ１を第１スイッチＳＷ１に出力する（ステップＳ７）。
【００５０】
制御部１０は、出力要求信号Ｓ０が入力されていないと判別した場合（ステップＳ４；Ｎｏ）又はステップＳ７後、電源スイッチをＯＦＦする操作信号が入力されたか否かを判別する（ステップＳ８）。
【００５１】
制御部１０は、電源スイッチをＯＦＦする操作信号が入力されていないと判別した場合（ステップＳ８；Ｎｏ）、ステップＳ４に戻る。
【００５２】
制御部１０は、電源スイッチをＯＦＦする操作信号が入力されたと判別した場合（ステップＳ８；Ｙｅｓ）、第２スイッチＳＷ２をＯＦＦする旨の第２切替信号Ｓ２を第２スイッチＳＷ２に出力する（ステップＳ９）。第２スイッチＳＷ２はＯＦＦ状態となり、主電源部２０及びＤＣ／ＤＣコンバータ２２よりも下流のセンサ１１及びプリアンプ１２とは電気的に遮断されるため、電気二重層コンデンサ２１に蓄積された電荷が保持される。
【００５３】
制御部１０は、第２スイッチＳＷ２をＯＦＦさせる旨の第２切替信号Ｓ２を第２スイッチＳＷ２に出力した後（ステップＳ９後）、第１スイッチＳＷ１をＯＦＦさせる旨の第１切替信号Ｓ１を第１スイッチＳＷ１に出力する（ステップＳ１０）。
【００５４】
第１スイッチＳＷ１がＯＦＦ状態となった後（ステップＳ１０後）、主電源部２０からの電源電圧の供給が完全に停止され（ステップＳ１１）、計測器の動作が停止する。
【００５５】
図３に、本実施の形態におけるタイミングチャートの一例を示す。
図３に示すタイミングチャートは、電源スイッチの操作信号、計測器の動作モード、制御部１０が外部から入力される出力要求信号Ｓ０、制御部１０が第１スイッチＳＷ１へ出力する第１切替信号Ｓ１及び第２スイッチＳＷ２へ出力する第２切替信号Ｓ２、電気二重層コンデンサ２１の動作モード（ＥＤＬＣ（Electric Double Layer Capacitor）動作モード）を示す。
【００５６】
まず、時刻ｔ１のとき、電源スイッチの操作信号がＯＦＦ状態からＯＮ状態に切り替わり、出力要求信号Ｓ０がＯＦＦ状態であるため、計測器の動作モードは待機状態となる。そのため、第１切替信号Ｓ１及び第２切替信号Ｓ２がＯＦＦ状態からＯＮ状態に切り替わり、電気二重層コンデンサ２１は、電荷保持状態から主電源部２０から電源電圧の供給を受けて充電状態に切り替わる。
【００５７】
時刻ｔ２のとき、電源スイッチの操作信号がＯＮ状態、外部からセンサ１１から出力される信号が要求され（計測開始）、出力要求信号Ｓ０がＯＦＦ状態からＯＮ状態に切り替わる。そのため、第１切替信号Ｓ１がＯＮ状態からＯＦＦ状態と切り替わり、電気二重層コンデンサ２１は、主電源部２０から電源電圧の供給が停止され、充電状態から放電状態に切り替わる。
【００５８】
時刻ｔ３のとき、電源スイッチの操作信号がＯＮ状態、外部からセンサ１１から出力される信号の要求が停止され（計測終了）、出力要求信号Ｓ０がＯＮ状態からＯＦＦ状態に切り替わる。そのため、第１切替信号Ｓ１がＯＦＦ状態からＯＮ状態へ切り替わり、電気二重層コンデンサ２１は、放電状態から主電源部２０から電源電圧の供給を受けて充電状態に切り替わる。
【００５９】
時刻ｔ４のときは、時刻ｔ２と同様の動作であるため、説明は省略する。また、時刻ｔ５のときは、時刻ｔ３と同様の動作であるため、説明は省略する。
【００６０】
時刻ｔ６のとき、電源スイッチの操作信号がＯＮ状態からＯＦＦ状態に切り替わり、出力要求信号Ｓ０がＯＦＦ状態であるため、計測器は停止状態となる。また、電源スイッチの操作信号がＯＦＦ状態となるため、第２切替信号ＳＷ２がＯＮ状態からＯＦＦ状態に切り替わった後、第１切替信号Ｓ１がＯＮ状態からＯＦＦ状態に切り替わる。
【００６１】
第２切替信号ＳＷ２がＯＦＦ状態に切り替わった後に第１切替信号ＳＷ１がＯＦＦ状態に切り替わるため、電気二重層コンデンサ２１を主電源部２０及びＤＣ／ＤＣコンバータ２２よりも下流のセンサ１１及びプリアンプ１２と電気的に遮断してから、主電源部２０からの電源電圧の供給を停止させることができる。したがって、電気二重層コンデンサ２１に蓄積されている電荷は、計測器の停止後も保持され、主電源部２０からの電源電圧供給が再開始された場合における電荷の充電時間が短縮されることとなり、効率的なエネルギー管理を行うことができる。
【００６２】
なお、本実施の形態では、第２スイッチＳＷ２をＯＦＦしてから第１スイッチＳＷ１をＯＦＦした後、主電源部２０からの電源電圧の供給を停止する事としたが、第１スイッチＳＷ１をＯＦＦしてから主電源部２０からの電源電圧の供給の停止と第２スイッチＳＷ２のＯＦＦ動作を同時とする構成であっても同様の効果を得ることができる。
【００６３】
このように、出力要求信号Ｓ０が受け付けられている期間のセンサ１１及びプリアンプ１２は、主電源部２０からの電源電圧の供給が遮断され、電気二重層コンデンサ２１からのみの電源電圧の供給により駆動されることになる。したがって、出力されるアナログ信号は、主電源部２０が発生するノイズの混入が低減されアナログ信号のＳ／Ｎ比が向上されるため、出力される測定信号の精度が向上される。
【図面の簡単な説明】
【００６４】
【図１】計測器の概略構成図である。
【図２】本実施の形態における第１スイッチＳＷ１及び第２スイッチＳＷ２の制御フローである。
【図３】本実施の形態におけるタイミングチャートの一例である。
【符号の説明】
【００６５】
２０  主電源部
１０  制御部
１１  センサ
１２  プリアンプ
１３  Ａ／Ｄ変換部
１４  デジタル信号処理部
２１  電気二重層コンデンサ
２２  ＤＣ／ＤＣコンバータ
３０  電源配線
Ｓ０  出力要求信号
Ｓ１  第１切替信号
Ｓ２  第２切替信号
ＳＷ１  第１スイッチ
ＳＷ２  第２スイッチ
Ｐ  接続点
【図１】
2006304396.tif 000003
【図２】
2006304396.tif 000004
【図３】
2006304396.tif 000005